(57)【要約】【課題】カメラの大型化を防止して、カメラのデート設定を行うことのできるデート設定装置を提供する。【解決手段】デート設定装置１００は、カメラ２００のデート設定を行う装置であって、標準時刻情報を有する標準時刻電波信号を受信する電波信号受信回路１１８と、時刻を計時すると共に、電波信号受信回路１１８により得られた標準時刻情報に基づいて時刻を修正する時計回路１２２と、カメラ２００において撮影に用いられるＡＦ回路２０６等が有する受光センサに対し、時計回路１２２が示す時刻情報を光信号として投光する投光部１１２とを備える。これによれば、カメラ２００は、既存の受光センサを用いて時刻情報を光信号として受光し、該時刻情報に基づいてデートを正しく設定することができるため、カメラ２００の大型化を防止して、カメラ２００のデート設定を行うことが可能となる。【選択図】　図２
2004020958.tif 000002
【特許請求の範囲】
【請求項１】
カメラのデート設定を行うデート設定装置であって、
時刻を計時する時計手段と、
標準時刻情報を有する標準時刻電波信号を受信する電波信号受信手段と、
前記電波信号受信手段により得られた前記標準時刻情報に基づいて、前記時計手段が計時する時刻を修正する時刻修正手段と、
前記カメラに設けられ撮影に用いられる受光手段に対し、前記時計手段が示す時刻情報を光信号として投光する投光手段と、
を備えることを特徴とするデート設定装置。
【請求項２】
前記受光手段は、前記カメラから被写体までの距離を測定する測距手段が有する受光センサであることを特徴とする請求項１に記載のデート設定装置。
【請求項３】
前記受光手段は、外光輝度を測定する測光手段が有する受光センサであることを特徴とする請求項１に記載のデート設定装置。
【請求項４】
前記受光手段は、前記カメラを遠隔操作するための遠隔操作装置から送信される遠隔操作信号を受信する遠隔操作信号受信手段が有する受光センサであることを特徴とする請求項１に記載のデート設定装置。
【請求項５】
前記電波信号受信手段は、所定時間毎に標準時刻電波信号を受信することを特徴とする請求項１〜４のいずれか１項に記載のデート設定装置。
【請求項６】
前記電波信号受信手段は、前記投光手段による光信号の投光が終了した後に標準時刻電波信号を受信することを特徴とする請求項１〜４のいずれか１項に記載のデート設定装置。
【発明の詳細な説明】
【０００１】
【発明の属する技術分野】
本発明は、カメラのデート設定を行うデート設定装置に関する。
【０００２】
【従来の技術】
カメラに設けられたＬＣＤに日時を表示したり、カメラにより撮影された画像に撮影日を写し込んだりするために、カメラには、水晶発振子等を用いて時刻を計時する時計手段が設けられているものが多い。
【０００３】
このような時計手段が計時する時刻に誤差が生じた場合には、ボタン操作等、手動にて時刻の修正を行うのが従来一般的であるが、手動による時刻の修正作業は煩雑なものであるため、そのような修正作業を不要とする技術として、特開２００１−１３５７４号公報（文献１）に記載されたカメラシステムや特開２００１−２１９８５号公報（文献２）に記載された充電装置が知られている。
【０００４】
すなわち、文献１には、日時情報を有する腕時計によりカメラに対し当該日時情報が送信されると、このカメラは、腕時計から送信された日時情報を受信し当該日時情報に基づいて日時管理を行うというカメラシステムが記載されている。
【０００５】
また、文献２には、電波時計としての機能を有し、カメラの充電の際に光結合による信号通信によって正確な時計データをカメラに送信するという充電装置が記載されている。カメラは、この充電装置による充電の際に時計データを受信してデートを正しく設定する。
【０００６】
【発明が解決しようとする課題】
しかしながら、文献１に記載されたカメラシステムにあっては、カメラにおいて手動による時刻の修正作業は不要となるが、腕時計が有する日時情報に誤差が生じている場合には、カメラの日時管理が不正確なものとなってしまう。なお、このような問題を解決するために、腕時計に電波時計の機能を適用することも考えられる。ところが、腕時計の場合、常時携帯可能とするために、標準時刻電波信号を受信するための受信アンテナを小型化する必要があり、この受信アンテナの小型化によって標準時刻電波信号の受信感度が低下するおそれがある。
【０００７】
また、文献２に記載された充電装置にあっては、充電装置とカメラとの間の時計データの送受信が信号通信専用の光結合によって行われており、よって、時計データ受信専用の受光センサ等をカメラに設ける必要があり、カメラが大型化するおそれがある。
【０００８】
そこで、本発明は、このような事情に鑑みてなされたものであり、カメラの大型化を防止して、カメラのデート設定を行うことのできるデート設定装置を提供することを目的とする。
【０００９】
【課題を解決するための手段】
上記目的を達成するために、本発明に係るデート設定装置は、カメラのデート設定を行うデート設定装置であって、時刻を計時する時計手段と、標準時刻情報を有する標準時刻電波信号を受信する電波信号受信手段と、電波信号受信手段により得られた標準時刻情報に基づいて、時計手段が計時する時刻を修正する時刻修正手段と、カメラに設けられ撮影に用いられる受光手段に対し、時計手段が示す時刻情報を光信号として投光する投光手段とを備えることを特徴とする。
【００１０】
このデート設定装置によれば、電波信号受信手段が、標準時刻情報を有する標準時刻電波信号を受信すると、時刻修正手段が、該標準時刻情報に基づいて、時計手段が計時する時刻を修正するため、時計手段が示す時刻情報に誤差が生じるのを防止することができる。そして、投光手段が、カメラに設けられ撮影に用いられる受光手段に対し、時計手段が示す時刻情報を光信号として投光する。これにより、従来構成のような受信専用の受光センサ等を設けなくても、カメラは、撮影に用いられる既存の受光手段を用いて時刻情報を光信号として受光し、該時刻情報に基づいてデートを正しく設定することができる。したがって、カメラの大型化を防止して、カメラのデート設定を行うことが可能となる。
【００１１】
本発明に係るデート設定装置において、カメラに設けられ撮影に用いられる受光手段は、カメラから被写体までの距離を測定する測距手段が有する受光センサであってもよいし、外光輝度を測定する測光手段が有する受光センサであってもよいし、或いは、カメラを遠隔操作するための遠隔操作装置から送信される遠隔操作信号を受信する遠隔操作信号受信手段が有する受光センサであってもよい。
【００１２】
また、本発明に係るデート設定装置において、電波信号受信手段は、所定時間毎に標準時刻電波信号を受信することが好ましい。これにより、時計手段が計時する時刻が時刻修正手段により所定時間毎に修正されるため、投光手段が光信号として投光する時刻情報はより正確なものとなる。したがって、カメラのデート設定をより正しく行うことが可能となる。
【００１３】
さらに、本発明に係るデート設定装置において、電波信号受信手段は、投光手段による光信号の投光が終了した後に標準時刻電波信号を受信することも好ましい。これにより、次にデート設定を行うべきカメラに備えて、時計手段が計時する時刻が時刻修正手段により修正されるため、投光手段が該カメラの受光手段に対し光信号として投光する時刻情報はより正確なものとなる。したがって、カメラのデート設定をより正しく行うことが可能となる。
【００１４】
なお、本明細書における時刻は、日付を含む日時情報であることを妨げるものではない。
【００１５】
【発明の実施の形態】
以下、図面と共に本発明の好適な実施形態について詳細に説明する。なお、図面の説明において同一又は相当部分には同一符号を付し、重複する説明を省略する。
【００１６】
図１は、本実施形態に係るデート設定装置１００の概念図である。デート設定装置１００は、カメラ２００のデート設定を行う装置であり、図示するように、カメラ２００が載置される載置台１０２と、載置台１０２上に所定の間隙を取って支持脚１０４により支持された支持ステージ１０６とを備えて構成されている。
【００１７】
載置台１０２には、デート設定装置１００の電源をＯＮ／ＯＦＦ切り替えするための電源スイッチ１０８や、カメラ２００のデート設定を開始するためのスタートスイッチ１１０が設けられている。また、支持ステージ１０６には、時刻情報を有する光信号を投光する投光部（投光手段）１１２や、種々の情報が表示されるＬＣＤ１１４が設けられている。
【００１８】
なお、詳細は後述するが、カメラ２００には、撮影に用いられる種々の受光センサ（受光手段）がカメラ２００の外部に臨む受光窓２０２が設けられている。この受光窓２０２が支持ステージ１０６に対向するようカメラ２００が載置台１０２に載置されると、支持ステージ１０６の投光部１１２からカメラ２００の受光窓２０２に向かって光信号が投光されることとなる。
【００１９】
次に、デート設定装置１００及びカメラ２００の構成について、図２を参照して説明する。図２は、デート設定装置１００及びカメラ２００の構成を示すブロック図である。
【００２０】
デート設定装置１００は、スタートスイッチ１１０、投光部１１２、ＬＣＤ１１４、受信アンテナ１１６、電波信号受信回路（電波信号受信手段）１１８、制御部１２０及び時計回路１２２を有している。
【００２１】
電波信号受信回路１１８は、受信アンテナ１１６を用いて、標準時刻送信所から送信される標準時刻情報を有する標準時刻電波信号を受信する。受信アンテナ１１６は、例えば、フェライトコアに導線を巻き回して構成される。
【００２２】
制御部１２０は、電波信号受信回路１１８により受信された標準時刻情報を有する標準時刻電波信号に基づいて、その標準時刻に合わせるよう時計回路１２２に対して時刻の修正を指示する。また、時計回路１２２が示す時刻情報を有する光信号を投光部１１２に投光させる。
【００２３】
時計回路１２２は、水晶発振子等を用いて所定の時間間隔を計時し、これにより年月日を含む時刻情報を示す。そして、時計回路１２２は、制御部１２０から時刻の修正を指示されると、標準時刻に合うよう時刻を修正する。このように、時計回路１２２は、時刻を計時する時計手段、及び標準時刻情報に基づいて時刻を修正する時刻修正手段として機能する。
【００２４】
なお、制御部１２０による制御の下で投光部１１２が投光する光信号は、図３に示すタイミングチャートのように、デートセット開始信号及び該デートセット開始信号に続く時刻信号により構成される。時刻信号は、時計回路１２２が示す時刻情報を表す信号である。
【００２５】
カメラ２００は、ＣＰＵ２０４、ＡＦ回路（測距手段）２０６、測光回路（測光手段）２０８、リモコン受信回路（遠隔操作信号受信手段）２１０、時計回路２１２、デート写込回路２１４及びＬＣＤ２１６を有している。
【００２６】
ＣＰＵ２０４は、制御・演算処理のためのプログラムを予め記憶しているＲＯＭ及び制御・演算の際に各種データを記憶するＲＡＭを有しており、カメラ２００に設けられた電源から電力の供給を受けてカメラ２００全体の制御を行う。
【００２７】
ＡＦ回路２０６、測光回路２０８及びリモコン受信回路２１０のそれぞれは、受光窓２０２からカメラ２００の外部に臨む受光センサを有している。
【００２８】
ＡＦ回路２０６は、被写体に向けて光束を投光し、その反射光を受光センサにより受光することで、カメラ２００から被写体までの距離を測定し、測定した距離データをＣＰＵ２０４に送信する。これにより、カメラ２００のＡＦ機構による焦点調節が可能となる。また、ＡＦ回路２０６は、デート設定装置１００の投光部１１２から投光された時刻情報を有する光信号を受光センサにより受光すると、該時刻情報を有する電気信号をＣＰＵ２０４に送信する。
【００２９】
測光回路２０８は、受光センサを用いて外光輝度を測定し、測定した輝度データをＣＰＵ２０４に送信する。これにより、カメラ２００のＡＥ機構による絞り及びシャッタ速度の調節が可能となる。また、測光回路２０８は、デート設定装置１００の投光部１１２から投光された時刻情報を有する光信号を受光センサにより受光すると、該時刻情報を有する電気信号をＣＰＵ２０４に送信する。
【００３０】
リモコン受信回路２１０は、リモコンから送信される赤外線等の遠隔操作信号を受光センサにより受光すると、電気信号に変換してＣＰＵ２０４に送信する。これにより、カメラ２００を遠隔操作することが可能となる。また、リモコン受信回路２１０は、デート設定装置１００の投光部１１２から投光された時刻情報を有する光信号を受光センサにより受光すると、該時刻情報を有する電気信号をＣＰＵ２０４に送信する。
【００３１】
以上のように、ＡＦ回路２０６、測光回路２０８及びリモコン受信回路２１０のうちの少なくとも１つから、時刻情報を有する電気信号がＣＰＵ２０４に送信されると、ＣＰＵ２０４は、該時刻情報が示す時刻に合わせるよう時計回路２１２に対して時刻の修正を指示する。
【００３２】
時計回路２１２は、水晶発振子等を用いて所定の時間間隔を計時し、これにより年月日を含む時刻を示す。そして、時計回路２１２は、時刻情報が示す時刻に合わせるようＣＰＵ２０４から時刻の修正を指示されると、該時刻情報が示す時刻に合うよう時刻を修正する。
【００３３】
デート写込回路２１４は、時計回路２１２が示す時刻情報を含むＣＰＵ２０４からの指示を受けて、該時刻情報に基づき、カメラ２００により撮影される画像に撮影日を写し込む。
【００３４】
ＬＣＤ２１６は、カメラ２００の外枠等に設けられており、ＬＣＤ２１６には、ＣＰＵ２０４からの指示により撮影可能なフィルム枚数や日時等が表示される。このＬＣＤ２１６に表示される日時は、時計回路２１２が示す時刻情報に基づくものである。
【００３５】
上述したデート設定装置１００の動作について、図４を参照して説明する。
【００３６】
電源スイッチ１０８がＯＮにされると、電波信号受信回路１１８が、受信アンテナ１１６を用いて、標準時刻送信所から送信される標準時刻情報を有する標準時刻電波信号を受信する（ステップＳ４０２）。これにより、制御部１２０が、電波信号受信回路１１８により受信された標準時刻電波信号の標準時刻に合わせるよう時計回路１２２に対して時刻の修正を指示し、時計回路１２２が該標準時刻に合うよう時刻を修正する（ステップＳ４０４）。続いて、制御部１２０が、スタートスイッチ１１０がＯＮにされたか否かを判断する（ステップＳ４０６）。
【００３７】
ステップＳ４０６にて、スタートスイッチ１１０がＯＮにされていないと判断された場合には、ステップＳ４０６に戻る。
【００３８】
一方、ステップＳ４０６にて、スタートスイッチ１１０がＯＮにされたと判断された場合には、制御部１２０がデート設定開始の旨をＬＣＤ１１４に表示させ（ステップＳ４０８）、時計回路１２２が示す時刻情報を有する光信号の投光を投光部１１２に対し指示する。これにより、投光部１１２が、制御部１２０による制御の下、デートセット開始信号を投光し（ステップＳ４１０）、続いて時刻信号を投光する（ステップＳ４１２）。そして、時刻信号の投光が終了すると、制御部１２０がデート設定完了の旨をＬＣＤ１１４に表示させ（ステップＳ４１４）、ステップＳ４０６に戻る。
【００３９】
なお、以上のデート設定装置１００の動作は、電源スイッチ１０８がＯＮにされた際に標準時刻電波信号を受信する場合であったが、所定時間毎に標準時刻電波信号を受信したり、投光部１１２による光信号の投光が終了した際に標準時刻電波信号を受信したりしてもよい。
【００４０】
まず、デート設定装置１００による所定時間毎の標準時刻電波信号の受信処理について、図５を参照して説明する。
【００４１】
或る時点（例えば、電源スイッチ１０８がＯＮにされた直後でもよいし、予め設定された時刻でもよい）において、電波信号受信回路１１８が、受信アンテナ１１６を用いて、標準時刻送信所から送信される標準時刻情報を有する標準時刻電波信号を受信する（ステップＳ５０２）。これにより、制御部１２０が、電波信号受信回路１１８により受信された標準時刻電波信号の標準時刻に合わせるよう時計回路１２２に対して時刻の修正を指示し、時計回路１２２が該標準時刻に合うよう時刻を修正する（ステップＳ５０４）。続いて、制御部１２０が、所定時間が経過したか否かを判断する（ステップＳ５０６）。
【００４２】
ステップＳ５０６にて、所定時間が経過していないと判断された場合には、ステップＳ５０６に戻る。一方、ステップＳ５０６にて、所定時間が経過したと判断された場合には、ステップＳ５０２に戻って再び標準時刻電波信号を受信する。
【００４３】
このように、デート設定装置１００において、電波信号受信回路１１８が所定時間毎に標準時刻電波信号を受信すれば、時計回路１２２が計時する時刻が所定時間毎に修正されるため、投光部１１２が光信号として投光する時刻情報はより正確なものとなる。したがって、カメラ２００のデート設定をより正しく行うことが可能となる。
【００４４】
次に、デート設定装置１００による光信号の投光が終了した際の標準時刻電波信号の受信処理について、図６を参照して説明する。
【００４５】
制御部１２０が、スタートスイッチ１１０がＯＮにされたか否かを判断し（ステップＳ６０２）、スタートスイッチ１１０がＯＮにされたと判断された場合にステップＳ６０４に移行して、制御部１２０がデート設定開始の旨をＬＣＤ１１４に表示させる（ステップＳ６０４）。
【００４６】
続いて、制御部１２０が、時計回路１２２が示す時刻情報を有する光信号の投光を投光部１１２に対し指示する。これにより、投光部１１２が、制御部１２０による制御の下、デートセット開始信号を投光し（ステップＳ６０６）、続いて時刻信号を投光する（ステップＳ６０８）。そして、時刻信号の投光が終了すると、制御部１２０がデート設定完了の旨をＬＣＤ１１４に表示させる（ステップＳ６１０）。
【００４７】
この投光部１１２による光信号の投光の終了により、電波信号受信回路１１８が、受信アンテナ１１６を用いて、標準時刻送信所から送信される標準時刻情報を有する標準時刻電波信号を受信する（ステップＳ６１２）。これにより、制御部１２０が、電波信号受信回路１１８により受信された標準時刻電波信号の標準時刻に合わせるよう時計回路１２２に対して時刻の修正を指示し、時計回路１２２が該標準時刻に合うよう時刻を修正して（ステップＳ６１４）、ステップＳ６０２に戻る。
【００４８】
このように、電波信号受信回路１１８が、投光部１１２による光信号の投光が終了した際に標準時刻電波信号を受信すれば、次にデート設定を行うべきカメラ２００に備えて、時計回路１２２が計時する時刻が修正されるため、該カメラ２００の受光センサに対し投光部１１２が光信号として投光する時刻情報はより正確なものとなる。したがって、カメラ２００のデート設定をより正しく行うことが可能となる。
【００４９】
上述したカメラ２００の動作について説明する。カメラ２００は、デート設定装置１００の投光部１１２から投光される光信号をＡＦ回路２０６等が有する受光センサにより受光することができる受光モードとなった際に、該光信号を受光して、時計回路２１２が計時する時刻を修正しデートの設定を行う。カメラ２００が受光モードとなるのは、カメラ２００がテストモードにされた場合や、カメラ２００がパワーＯＮリセットになった場合である。
【００５０】
まず、カメラ２００によるテストモード時のデート設定処理について、図７を参照して説明する。なお、カメラ２００がテストモードになるのは、レリーズボタンが押された状態で電源スイッチがＯＮにされた場合や、カメラ２００の所定の操作ボタン２つが同時に所定時間以上押された場合等、カメラ２００において所定の操作が行われた場合である。
【００５１】
カメラ２００が、テストモード（すなわち受光モード）にされ、受光窓２０２がデート設定装置１００の投光部１１２に対向するようデート設定装置１００の置台１０２に載置されて、デート設定装置１００のスタートスイッチ１１０がＯＮにされると、上述したようにデート設定装置１００からは、デートセット開始信号及び該デートセット開始信号に続く時刻信号が光信号として投光される。カメラ２００においては、図７に示すように、ＣＰＵ２０４が、ＡＦ回路２０６、測光回路２０８及びリモコン受信回路２１０のそれぞれが有する受光センサのうち少なくとも１つによりデートセット開始信号が受光されたか否かを判断する（ステップＳ７０２）。
【００５２】
ステップＳ７０２にて、デートセット開始信号が受光されていないと判断された場合には、ステップＳ７０２に戻る。
【００５３】
一方、ステップＳ７０２にて、デートセット開始信号が受光されたと判断された場合には、続いて時刻信号を受光する（ステップＳ７０４）。これにより、時刻信号を受光したＡＦ回路２０６、測光回路２０８及びリモコン受信回路２１０のうち少なくとも１つから、受光した時刻信号に基づいて時刻情報を有する電気信号がＣＰＵ２０４に送信されると、該時刻情報が示す時刻に合わせるようＣＰＵ２０４が時計回路２１２に対して時刻の修正を指示し、該時刻情報が示す時刻に合うよう時計回路２１２が時刻を修正する（ステップＳ７０６）。そして、時刻の修正が終了すると、ＣＰＵ２０４がデート設定完了の旨をＬＣＤ２１６に表示させ（ステップＳ７０８）、カメラ２００によるデートの設定が終了となる。
【００５４】
なお、カメラ２００の生産出荷時の検査においてはテストモードが利用されるため、このとき、カメラ２００のデート設定を行い、さらにテストモードを継続して他のテストを行うことも可能であり、これにより、生産出荷時におけるデート設定作業の作業効率を向上させることができる。
【００５５】
次に、カメラ２００によるパワーＯＮリセット時のデート設定処理について、図８を参照して説明する。カメラ２００がパワーＯＮリセットになるのは、カメラ２００の電源となる電池の交換によって新たな電池がカメラ２００に設置された場合である。
【００５６】
カメラ２００が、パワーＯＮリセット（すなわち受光モード）になり、上述したように、受光窓２０２がデート設定装置１００の投光部１１２に対向するようデート設定装置１００の置台１０２に載置されて、デート設定装置１００のスタートスイッチ１１０がＯＮにされると、デート設定装置１００からは、デートセット開始信号及び該デートセット開始信号に続く時刻信号が光信号として投光される。カメラ２００においては、図８に示すように、ＣＰＵ２０４が、ＡＦ回路２０６、測光回路２０８及びリモコン受信回路２１０のそれぞれが有する受光センサのうち少なくとも１つによりデートセット開始信号が受光されたか否かを判断する（ステップＳ８０２）。
【００５７】
ステップＳ８０２にて、デートセット開始信号が受光されたと判断された場合には、続いて時刻信号を受光する（ステップＳ８０４）。これにより、時刻信号を受光したＡＦ回路２０６、測光回路２０８及びリモコン受信回路２１０のうち少なくとも１つから、受光した時刻信号に基づいて時刻情報を有する電気信号がＣＰＵ２０４に送信されると、該時刻情報が示す時刻に合わせるようＣＰＵ２０４が時計回路２１２に対して時刻の修正を指示し、該時刻情報が示す時刻に合うよう時計回路２１２が時刻を修正する（ステップＳ８０６）。そして、時刻の修正が終了すると、ＣＰＵ２０４がデート設定完了の旨をＬＣＤ２１６に表示させ（ステップＳ８０８）、カメラ２００によるデートの設定が終了となる。
【００５８】
一方、ステップＳ８０２にて、デートセット開始信号が受光されていないと判断された場合には、ＣＰＵ２０４が、所定時間が経過したか否かを判断し（ステップＳ８１０）、所定時間が経過していないと判断された場合にはステップＳ８０２に戻り、所定時間が経過したと判断された場合には、カメラ２００によるデートの設定が行われずに終了となる。
【００５９】
なお、カメラ２００の生産出荷時においては電源装填後にパワーＯＮリセットになるため、このとき、カメラ２００のデート設定を行うことも可能であり、これにより、生産出荷時におけるデート設定作業の作業効率を向上させることができる。
【００６０】
以上説明したように、本実施形態に係るデート設定装置１００によれば、電波信号受信回路１１８により、標準時刻情報を有する標準時刻電波信号が受信されると、時計回路１２２により、該標準時刻情報に基づいて時刻が修正されるため、時計回路１２２が計時する時刻に誤差が生じるのを防止することができる。そして、投光部１１２により、カメラ２００において撮影に用いられるＡＦ回路２０６等が有する受光センサに対し、時計回路１２２が示す時刻情報が光信号として投光される。これにより、従来構成のような受信専用の受光センサ等を設けなくても、カメラ２００は、撮影に用いられる既存の受光センサを用いて時刻情報を光信号として受光し、該時刻情報に基づいてデートを正しく設定することができる。したがって、カメラ２００の大型化を防止して、カメラ２００のデート設定を行うことが可能となる。
【００６１】
以上、本発明の好適な実施形態について詳細に説明したが、本発明は上記実施形態に限定されないことはいうまでもない。
【００６２】
例えば、上記実施形態は、カメラ２００において、ＡＦ回路２０６、測光回路２０８及びリモコン受信回路２１０のそれぞれが有する受光センサのすべてが、デート設定装置１００から投光される光信号を受光することができる場合であったが、ＡＦ回路２０６、測光回路２０８及びリモコン受信回路２１０のそれぞれが有する受光センサのうち少なくとも１つが該光信号を受光する機能を有していればよい。
【００６３】
また、デート設定装置１００から投光される光信号を受光するために、ＡＦ回路２０６、測光回路２０８及びリモコン受信回路２１０のそれぞれが有する受光センサに限らず、撮影に用いられる他の受光センサを用いてもよい。
【００６４】
さらに、上記実施形態は、時計回路１２２が、時刻を計時する時計手段、及び標準時刻情報に基づいて時刻を修正する時刻修正手段として機能する場合であったが、制御部１２０に時刻修正手段としての機能を持たせ、時計回路１２２は時刻を計時する時計手段としてのみ機能するようにすることも可能である。
【００６５】
【発明の効果】
以上説明したように、本発明に係るデート設定装置によれば、電波信号受信手段が、標準時刻情報を有する標準時刻電波信号を受信すると、時刻修正手段が、該標準時刻情報に基づいて、時計手段が計時する時刻を修正するため、時計手段が示す時刻情報に誤差が生じるのを防止することができる。そして、投光手段が、カメラに設けられ撮影に用いられる受光手段に対し、時計手段が示す時刻情報を光信号として投光する。これにより、従来構成のような受信専用の受光センサ等を設けなくても、カメラは、撮影に用いられる既存の受光手段を用いて時刻情報を光信号として受光し、該時刻情報に基づいてデートを正しく設定することができる。したがって、カメラの大型化を防止して、カメラのデート設定を行うことが可能となる。
【００６６】
そして、本発明に係るデート設定装置は、銀塩カメラ、デジタルカメラ、ビデオカメラ等を問わず、種々のカメラのデート設定に適用することができ、また、そのようなカメラの生産出荷時やサービスステーション等でのリペア時におけるデート設定に適用可能である。
【図面の簡単な説明】
【図１】本実施形態に係るデート設定装置の概念図である。
【図２】本実施形態に係るデート設定装置及びカメラの構成を示すブロック図である。
【図３】本実施形態に係るデート設定装置の投光部が投光する光信号を説明するためのタイミングチャートを示す図である。
【図４】本実施形態に係るデート設定装置の動作を示すフローチャートである。
【図５】本実施形態に係るデート設定装置による所定時間毎の標準時刻電波信号の受信処理を示すフローチャートである。
【図６】本実施形態に係るデート設定装置による光信号の投光が終了した際の標準時刻電波信号の受信処理を示すフローチャートである。
【図７】本実施形態に係るカメラによるテストモード時のデート設定処理を示すフローチャートである。
【図８】本実施形態に係るカメラによるパワーＯＮリセット時のデート設定処理を示すフローチャートである。
【符号の説明】
１００…デート設定装置、１１２…投光部、１１６…受信アンテナ、１１８…電波信号受信回路、１２０…制御部、２００…カメラ、２０４…ＣＰＵ、２０６…ＡＦ回路、２０８…測光回路、２１０…リモコン受信回路、２１２…時計回路。
【図１】
2004020958.tif 000003
【図２】
2004020958.tif 000004
【図３】
2004020958.tif 000005
【図４】
2004020958.tif 000006
【図５】
2004020958.tif 000007
【図６】
2004020958.tif 000008
【図７】
2004020958.tif 000009
【図８】
2004020958.tif 000010